(57)【要約】【課題】胴部の外径寸法が異なる容器の収納に適し、ペットボドルに使用することで、携帯を容易とし、且つ保冷容器として機能するだけではなく、デザイン性に優れた衣服状の外観を呈することが可能な包装体を提供する。【解決手段】底板と、該底板の端縁から略一体的に延設させると共に正面側の高さ方向に沿い且つ左右方向に向けて開放可能とした前身ごろと、上部の首部を開口させた筒状の胴部を有する容器を収納する衣服状の包装体において、前記左右の前身ごろの正面側の高さ方向に沿った開放部は相互に重なり合う当接部が形成されると共に該当接部には着脱可能に係止する接着部がそれぞれ形成され、前記前身ごろの少なくとも一方を底板の端縁部分に沿って切離して開放可能とし、該底板の端縁からは前身ごろの底部の裏面に左右方向に沿って当接させる支持片を立設し、該支持片と前身ごろとの当接部に着脱可能に係止する接着部をそれぞれ形成する。【選択図】図４
2008260571.tif 000002
【特許請求の範囲】
【請求項１】
底板と、該底板の端縁から略一体的に延設させると共に正面側の高さ方向に沿い且つ左右方向に向けて開放可能とした前身ごろと、上部の首部を開口させた筒状の胴部を有する容器を収納する衣服状の包装体において、前記左右の前身ごろの正面側の高さ方向に沿った開放部は相互に重なり合う当接部が形成されると共に該当接部には着脱可能に係止する接着部がそれぞれ形成され、前記前身ごろの少なくとも一方を底板の端縁部分に沿って切離して開放可能とし、該底板の端縁からは前身ごろの底部の裏面に左右方向に沿って当接させる支持片を立設し、該支持片と前身ごろとの当接部に着脱可能に係止する接着部をそれぞれ形成したことを特徴とする飲用容器の包装体。
【請求項２】
前記包装体の背面側にストラップを設けたことを特徴とする請求項１記載の飲用容器の包装体。
【請求項３】
前記包装体を断熱構造としたことを特徴とする請求項１記載の飲用容器の包装体。
【請求項４】
前記包装体には袖部が形成されることで、人型の外観を得ることを特徴とする請求項１記載の飲用容器の包装体。
【発明の詳細な説明】
【技術分野】
【０００１】本発明は、ペットボトル等の筒状の胴部を有する飲用容器の包装体に関するものである。詳細には、大きさの異なる飲用容器に対しても対応できると共に、ペットボトル等に使用することで断熱効果と、デザイン的な人型の外観を与える包装体に関するものである。
【背景技術】
【０００２】従来より、販売用の飲料用容器としてペットボトルが使用されている。このペットボトルは、ＰＥＴ等の透明な合成樹脂で製造されていて、冷蔵庫等での保管等に適した断熱構造となっていると共に、流通や自動販売機等に適した構造として筒状の胴部を有している。【０００３】これに対して、ユーザーが飲料を購入した後に、この様なペットボトルを開口部から挿入することで収納し、これを持ち運ぶ巾着型の包装体や保冷具などが知られているが、最近では、更に、特開２００２−３０８２８０号に開示されている通り、衣服のように包装体を形成し、人型の外観を呈するデザイン的な保冷具等が開発され使用されている。
【特許文献１】特開２００２−３０８２８０号
【発明の開示】
【発明が解決しようとする課題】
【０００４】しかしながら、従来の包装体は、サイズの限定された有底筒状の底部を構成するため、胴部の外径寸法、とりわけ胴部の外径が異なるペットボトルの収納には適しておらず、大きさの異なるペットボトル、胴部の外径が異なるには対応することができなかった。
【課題を解決する手段】
【０００５】本発明は、この様な問題を鑑みてなされたものであり、主として、底板と、該底板の端縁から略一体的に延設させると共に正面側の高さ方向に沿い且つ左右方向に向けて開放可能とした前身ごろと、上部の首部を開口させた筒状の胴部を有する容器を収納する衣服状の包装体において、前記左右の前身ごろの正面側の高さ方向に沿った開放部は相互に重なり合う当接部が形成されると共に該当接部には着脱可能に係止する接着部がそれぞれ形成され、前記前身ごろの少なくとも一方を底板の端縁部分に沿って切離して開放可能とし、該底板の端縁からは前身ごろの底部の裏面に左右方向に沿って当接させる支持片を立設し、該支持片と前身ごろとの当接部に着脱可能に係止する接着部をそれぞれ形成したことを特徴としている。
【０００６】とりわけ、前身ごろの少なくとも一方を底板の端縁部分に沿って切離して開放可能とし、底板の端縁からは前身ごろの底部の裏面に左右方向に沿って当接させる支持片を立設し、支持片と前身ごろとの当接部に着脱可能に係止する接着部を設けることで、飲用容器の外径寸法が異なっている場合でも、収納を可能としたものである。
【０００７】本発明は、更に、包装体の背面側にストラップを設け、断熱構造とすることで、携帯が可能であり、且つ保冷容器としての使用を可能とした。
【０００８】また、包装体には腕部が形成されることで、人型の外観を得てマスコット等の擬人化を計り、よりユーザーの嗜好性を高めることが可能である。
【発明を実施するための最良の形態】
【０００９】本発明を実施例の図面に基づき、説明する。【００１０】図１は、本発明の包装体の外観を示す正面図であり、図２は、本発明の包装体の外観を示す背面図であり、図３は、本発明の包装体の底面図であり、図４は、本発明の包装体の第１実施例の開放状態の説明図であり、図５は、本発明の包装体のペットボトル収納時の外観図であり、図６は、本発明の第２実施例の開放状態の説明図である。【００１１】本発明は、ペットボトル等の筒状の胴部を有する飲用容器の包装体に関するものであり、詳細には、大きさの異なる飲用容器に対しても対応できると共に、断熱効果とデザイン的な外観を与える包装体に関するものである。【００１２】尚、本発明の実施の形態においては、筒状の胴部を有する典型的な容器として飲用容器であるペットボトルを示したが、例えば、内容物が、ゼリー等の流動物、アイスクリーム等の固形物であったり、或いは、ペットボトル以外の筒状の胴部を有する容器についても同様に使用することが可能である。【００１３】本発明の包装体は、図１乃至図６に示す通り、全体として布製、柔軟な合成樹脂製の衣服状の包装体であって、詳細には、ペットボトル等の容器Ａを載置可能な円形の底部を有する底板４と、該底板４の端縁から略一体的に延設させると共に正面側の高さ方向に沿い且つ左右方向に向けて開放可能とした前身ごろ１．１と、上部の首部６を開口させた衣服状の包装体である。【００１４】そして、前記包装体には、更に袖部２が形成されることで、全体的に人型の外観を得ている。【００１５】前記包装体は、硬質性をもたらせるために、芯材を介設させた積層材であって良く、また、断熱構造とするために、前身ごろ１．１を含む包装体全体の容器側となる裏面に、アルミ材等をライニングしても良い。【００１６】また、背面側に帯材で形成されたストラップ３が設けられ、これにより携帯が可能となっている。【００１７】図４に図示の如く、本発明の包装体は、容器Ａを収納した状態で、正面の中央部分で左右の前身ごろ１．１の端縁同士が接する状態で、例えば、チャックのような接合部材で係止するものではなく、前記左右の前身ごろ１．１の正面側の高さ方向に沿った開放部は相互に所定の幅で重なり合う当接部１１．１１を設けた状態で構成されている。【００１８】そして、前記当接部１１．１１には着脱可能に係止する、例えば、面ファスナの如き接着部５１ａ．５１ｂがそれぞれ形成されている。【００１９】本発明は、更に、図４に図示の如く、前記前身ごろ１．１の少なくとも一方を底板４の端縁部分に沿って切離して開放可能とし、該底板４の端縁からは前身ごろ１の底部の裏面に左右方向に沿って当接させる支持片１２を立設し、該支持片１２と前身ごろ１との当接部に着脱可能に係止する、面ファスナ等の接着部５２ａ．５２ｂをそれぞれ形成している。【００２０】尚、図６に図示の如く、前記前身ごろ１．１の両方を底板４の端縁部分に沿って切離して開放可能とし、該底板４の端縁から前身ごろ１の底部の裏面に左右方向に沿って当接させる支持片１２を立設し、該支持片１２と前身ごろ１との当接部に着脱可能に係止する、面ファスナ等の接着部５２ａ．５２ｂをそれぞれ形成しても良い。【００２１】上記の如く構成した本発明は、一般的に市販されているペットボトル等の容器Ａを収納することで、ストラップ３にて携帯を容易とし、且つ保冷容器として機能するだけではなく、デザイン性に優れた衣服状の外観を呈することが可能である。【００２２】また、その際、容器Ａの胴部の外径寸法が底板４の外径寸法より大きい場合には、支持片１２と重ね合わさる側の前身ごろ１を、やや緩く重ねて接着部５２ａ．５２ｂにて一旦係合した後に、接着部５１ａ．５１ｂで係合し、一方、容器Ａの胴部の外径寸法が底板４の外径寸法より小さい場合には、支持片１２と重ね合わさる側の前身ごろ１を、やや強く、中心方向に引き付けて重ねて接着部５２ａ．５２ｂにて一旦係合した後に、接着部５１ａ．５１ｂで係合する。このようにして、支持片１２により位置調整が可能である。【００２３】尚、高さ方向の異なる容器Ａの収納に対応させるためには、伸縮性のある部材を用いたり、高さ方向で折り返し部を設けて調整することが可能である。
【図面の簡単な説明】
【００２４】
【図１】本発明の包装体の外観を示す正面図である。
【図２】本発明の包装体の外観を示す背面図である。
【図３】本発明の包装体の底面図である。
【図４】本発明の包装体の第１実施例の開放状態の説明図である。
【図５】本発明の包装体のペットボトル収納時の外観図である。
【図６】本発明の第２実施例の開放状態の説明図である。
【符号の説明】
【００２５】Ａ  容器
１  前身ごろ
１１  当接部
１２  支持片
２  袖
３  ストラップ
４  底板
５１ａ  接着部
５１ｂ  接着部
５２ａ  接着部
５２ｂ  接着部
【図１】
2008260571.tif 000003
【図２】
2008260571.tif 000004
【図３】
2008260571.tif 000005
【図４】
2008260571.tif 000006
【図５】
2008260571.tif 000007
【図６】
2008260571.tif 000008